(57)【要約】【課題】転倒防止用の格別の補助部材を設けたり、機器を設置床面等に固定することなく、複数機器の同時引出しを防止する機構を設けることによって機器の転倒を防止することを可能とした複数機器の同時引出し阻止機構、及び筐体を提供する。【解決手段】同一側面に開口部を有し且つ上下位置関係で配置されて夫々収容した機器１０、１１を各開口部内外に出入れ自在に支持した２つの機器収容部５、６と、各機器を搭載して各機器収容部の開口部から夫々内外に突出入自在に構成された機器台座２０、２１と、下側の機器収容部の開口部の一側縁に設けたヒンジ部により該開口部を開閉自在に軸支されたドア５ａと、を備えた筐体において、ドアは、下側の開口部を閉止した状態にあるときには上側の機器台座の外側への突出を許容する一方で、開放した状態にあるときには上側の機器台座の外側への突出を阻止する係止・解除部３０を備えている。【選択図】図１
2008200369.tif 000002
【特許請求の範囲】
【請求項１】
同一側面に開口部を有し且つ上下位置関係で配置されて夫々収容した機器を各開口部内外に出入れ自在に支持した２つの機器収容部と、各機器を搭載して各機器収容部の開口部から夫々内外に突出入自在に構成された機器台座と、下側の機器収容部の開口部の一側縁に設けたヒンジ部により該開口部を開閉自在に軸支されたドアと、を備えた筐体において、
前記ドアは、下側の前記開口部を閉止した状態にあるときには上側の前記機器台座の外側への突出を許容する一方で、開放した状態にあるときには前記上側の機器台座の外側への突出を阻止する係止・解除部を備えていることを特徴とする複数機器の同時引出し阻止機構。
【請求項２】
前記ドアの閉止時に前記上側の機器台座が上側の前記開口部の外側へ突出しているときには、該上側の機器台座は前記ドアの完全開放を規制するように構成されていることを特徴とする請求項１に記載の複数機器の同時引出し阻止機構。
【請求項３】
前記係止・解除部は、前記ドアのヒンジ部側に設けた切欠き部によって構成されており、前記ドアの閉止時には前記切欠き部内を経て前記上側の機器台座が突出することを許容する一方で、前記ドアの開放時には該切欠き部の内側面によって前記上側の機器台座の先端部を係止してその突出を阻止することを特徴とする請求項１又は２に記載の複数機器の同時引出し阻止機構。
【請求項４】
前記ドアが開放され、下側の機器台座が突出状態にある場合には、前記ドアの開放状態を維持して上側機器台座の突出を阻止するように前記ドアと下側機器台座との位置関係を設定したことを特徴とする請求項１、２又は３に記載の複数機器の同時引出し阻止機構。
【請求項５】
請求項１乃至４の何れか一項に記載の複数機器の同時引出し阻止機構を備えたことを特徴とする筐体。
【発明の詳細な説明】
【技術分野】
【０００１】
本発明は上下位置関係で配置した機器収容部内に夫々重量物である機器を同一方向へ引出し自在に収容した筐体において、各機器を同時に引出し状態とすることによって筐体が転倒、或いは傾倒する事態の発生を防止することができる複数機器の同時引出し阻止機構、及びこれを備えた筐体に関するものである。
【背景技術】
【０００２】
一つの筐体内に複数の機器を収容することにより一つの装置を構成する場合に個々の機器を保守し易くするためには、各機器収容部の外部に機器を出入れ自在に構成するのが一般的である。
例えば、近年、各種の自治体、企業、学校等々において、証明書や券類等（以下、証明書等、という）を発行する手段として自動発行装置が導入され、数多く利用されている。この種の自動発行装置として、市販の汎用プリンタと、プリンタから出力された印刷済み用紙にステープル処理、或いは契印を施すための後処理装置と、これらを制御する制御装置と、を組合せ使用したタイプが知られており、複数の収納棚を有した筐体内に各機器を収納することにより一つの自動発行装置を構成している。
【０００３】
図５（ａ）（ｂ）（ｃ）及び（ｄ）は上記の如き自動発行装置の外観図、前扉開放状態説明図、プリンタ収容部のドア開放状態、及び２つの機器を同時に引き出した状態を示す図である。
この自動発行装置１００の筐体１０１は、本体１０２と、本体１０２の前面を開閉するために枢支された前扉１０３と、本体１０２の内部に配置されたプリンタ収容部１０５、後処理装置収容部１０６等を備えている。プリンタ収容部１０５内にはレーザプリンタ１１０が収容され、後処理装置収容部１０６内には後処理装置１１１が収容されている。各収容部１０５、１０６の前面にはこれらを開閉するためのドア１０５ａ、１０６ａを必要に応じてヒンジ１０５ｂ、１０６ｂによって軸支する。
各収容部１０５、１０６は同一側面側に開口部を有し、各収容部の内壁に設けたスライドレールによって機器台座１１５、１１６が各開口部から内外に突出入自在に支持されている。
しかし、このように構成した場合、メンテナンス時に作業員が図５（ｄ）に示すように上下位置関係に配置されたプリンタ１１０、後処理装置１１１を同時に引き出すと、筐体本体１０２の重量とのバランスが崩れて自動発行機全体が前方に倒れ込みを起こす虞があり危険である。
【０００４】
機器類の転倒を防止する装置として、特許文献１には、機器本体の周囲四隅に設けた補助脚部を、機器本体側に収納した位置と外側へ突出させた位置との間で進退自在に構成し、補助脚部を突出状態とすることにより転倒を防止する構造を提案している。しかし、転倒防止手段としてしか機能し得ない補助脚部を設けるために部品点数増大、形状の大型化、設置スペースの増大といった種々の不具合をもたらすことが明らかである。
また、特許文献２には、機器を設置床面に固定することにより転倒を防止する装置が開示されているが、一旦固定すると、機器の移動を制限することとなるため、機器を床面に固定したくない設置環境では適用することができない。
また、特許文献３には、機器本体の底面位置よりも高い位置から転倒防止部として機能する踏み台を突設した構成が開示されているが、電子機器には通常踏み台は不要であるし、踏み台は転倒防止手段としては大型であり、自動発行機等には適さない。
【特許文献１】特開２００５−２２７６３３公報
【特許文献２】特開２００６−２４４０６公報
【特許文献３】特開２００７−０１５５７０公報
【発明の開示】
【発明が解決しようとする課題】
【０００５】
以上のように筐体の一側面に上下位置関係で機器収容部を配置し、該一側面に設けた各開口部から重量物である機器を水平方向へ出入れ自在に構成した場合、複数の機器を同時に引出し状態にすると筐体本体との重量バランスが崩れて機器が転倒する虞があった。
本発明は上記に鑑みてなされたものであり、転倒防止用の格別の補助部材を設けたり、機器を設置床面等に固定することなく、複数機器の同時引出しを防止する機構を設けることによって機器の転倒を防止することを可能とした複数機器の同時引出し阻止機構、及びこれを備えた筐体を提供することを目的としている。
【課題を解決するための手段】
【０００６】
上記目的を達成するため、請求項１の発明に係る複数機器の同時引出し防止機構は、同一側面に開口部を有し且つ上下位置関係で配置されて夫々収容した機器を各開口部内外に出入れ自在に支持した２つの機器収容部と、各機器を搭載して各機器収容部の開口部から夫々内外に突出入自在に構成された機器台座と、下側の機器収容部の開口部の一側縁に設けたヒンジ部により該開口部を開閉自在に軸支されたドアと、を備えた筐体において、前記ドアは、下側の前記開口部を閉止した状態にあるときには上側の前記機器台座の外側への突出を許容する一方で、開放した状態にあるときには前記上側の機器台座の外側への突出を阻止する係止・解除部を備えていることを特徴とする。
ドア閉止時には下側の機器収容部内の機器台座の引出しをドアが阻止する一方で、ドア開放時には係止・解除部が直上位置にある機器収容部内の機器台座の引出しを阻止するので、上下位置関係に配置された各機器台座上の機器が同時に引き出されることが防止でき、筐体の転倒を防止できる。
【０００７】
請求項２の発明は、請求項１において、前記ドアの閉止時に前記上側の機器台座が上側の前記開口部の外側へ突出しているときには、該上側の機器台座は前記ドアの完全開放を規制するように構成されていることを特徴とする。
上側の機器台座が引き出されている状態で、直下に位置するドアを開放しようとしても、係止・解除部がドアの完全解放を阻止するので、各機器が同時に引き出されることがなくなる。
請求項３の発明は、請求項１又は２において、前記係止・解除部は、前記ドアのヒンジ部側に設けた切欠き部によって構成されており、前記ドアの閉止時には前記切欠き部内を経て前記上側の機器台座が突出することを許容する一方で、前記ドアの開放時には該切欠き部の内側面によって前記上側の機器台座の先端部を係止してその突出を阻止することを特徴とする。
【０００８】
請求項４の発明は、請求項１、２又は３において、前記ドアが開放され、下側の機器台座が突出状態にある場合には、前記ドアの開放状態を維持して上側機器台座の突出を阻止するように前記ドアと下側機器台座との位置関係を設定したことを特徴とする。
請求項５の発明に係る筐体は、請求項１乃至４の何れか一項に記載の複数機器の同時引出し阻止機構を備えたことを特徴とする。
【発明の効果】
【０００９】
本発明では、下側の機器収容部を開閉するドアに設けた係止・解除部と、直上に位置する機器収容部内の機器台座に設けた被係止部との協働によって、ドアを開放して下側の機器を引出し可能な状態となっている時には上側の機器台座の突出を阻止し、ドアを閉じた状態で上側の機器台座を引き出した時にはドアの開放が阻止されるので、上下位置関係に配置された両機器が同時に一方向へ引き出されることを防止でき、筐体の転倒を防止できる。
【発明を実施するための最良の形態】
【００１０】
以下、本発明を添付図面に示した形態例により詳細に説明する。
図１（ａ）（ｂ）及び（ｃ）は本発明の一形態例に係る複数機器の同時引出し防止機構を備えた自動発行装置の外観図、前扉開放状態説明図、及びプリンタ収容部のドア開放状態を示す図であり、図２は図１（ｃ）の拡大図であり、図３（ａ）及び（ｂ）は夫々ドアの閉止時、及び開放時の要部構成を示す図であり、図４は上側の機器台座を引き出した状態を示す下方からの斜視図である。
自動発行装置は、証明書、券類等のように、用紙上に所要事項を印刷して発行する装置であり、用紙に所定事項を印刷する印刷手段としてのプリンタ１０と、プリンタ１０から排出された印刷済みの証明書等を受入れてステープル処理、契印処理等を施す後処理装置１１と、を備えている。更に、筐体本体２内には、図示しない制御装置が配置され、プリンタ１０、後処理装置１５を制御するように構成されている。
【００１１】
自動発行装置の筐体１は、筐体本体２と、筐体本体２の前面を開閉するために枢支され且つ操作部やディスプレイや印刷物発行部等を備えた前扉３と、筐体本体２の内部に配置されたプリンタ収容部５、後処理装置収容部６等を備えている。筐体本体２の前面に設けたプリンタ収容部（下側機器収容部）５内にはプリンタ１０が収容され、プリンタ収容部５の直上位置であって筐体本体の前面に設けた後処理装置収容部（上側機器収容部）６内には後処理装置１１が収容されている。各機器収容部５、６の内壁下部には夫々スライドレール７、８が配設され、各スライドレールは各機器１０、１１を搭載した機器台座２０、２１の両側部に設けた被ガイド部と係合することにより、各機器台座を各機器収容部５、６の開口部から内外に出入れ自在に支持している。
【００１２】
プリンタ収容部５の一側端縁にはヒンジ部５ｂを設け、このヒンジ部５ｂによってプリンタ収容部の開口部を開閉するためのドア５ａが横方向に開閉自在に軸支されている。
ドア５ａは、プリンタ収容部５の開口部を閉止した状態にあるときには後処理装置収容部６内に設けた機器台座２１の外側への突出を許容する一方で、プリンタ１０を搭載した機器台座２０が引出し可能となるようにドア５ａを開放した状態にあるときには上側の機器台座２１の外側への突出を阻止する係止・解除部３０を備えている。
従って、ドア閉止時には下側の機器収容部内の機器台座２０の引出しをドアが阻止する一方で、ドア開放時には係止・解除部３０が直上位置にある機器収容部内の機器台座２１の引出しを阻止するので、上下位置関係に配置された各機器台座上の各機器が同時に引き出されることが防止でき、筐体の転倒を防止できる。
【００１３】
また、係止・解除部３０は、ドア５ａの閉止時に上側の機器台座２１が後処理装置収容部６の開口部の外側へ突出しているときには、上側の機器台座２１はドア５ａの完全開放を規制するように構成されている。従って、後処理装置１１を引き出した状態でドア５ａを完全に開放することが不可能であるために、プリンタ１０を同時に引出した状態とすることができない。
本実施形態に係る係止・解除部３０は、ドア５ａのヒンジ部５ｂ側に設けた切欠き部３１によって構成されている。また、上側の機器台座２１の左側端部には下方に突出した被係止部２１ａを備え、図１（ｂ）のようにドア５ａが閉止状態にあるときに被係止部２１ａは切欠き部３１内に整合した状態で位置しており、ドア５ａの閉止時であっても切欠き部３１を介して内外方向へ進退自在となるように構成されている。このため、ドア５ａの閉止時には、機器台座２１及び該機器台座上に搭載された後処理装置１１は収容部６の開口部から前方へ引き出すことが可能となる。
つまり、切欠き部３１と被係止部２１ａとの関係は、図１（ｂ）の如きドア５ａの閉止時には切欠き部３１内を経て被係止部２１ａが前後方向へ進退自在となるために上側の機器台座２１が突出することを許容する一方で、図１（ｃ）の如くドア５ａがプリンタ１０を搭載した機器台座２０が引出し可能となる所定角度（この例では約９０度）開放した時には切欠き部３１の内側面（係止部）３１ａによって機器台座の被係止部２１ａ（先端部適所）を係止してその突出を阻止するように構成されている。
【００１４】
また、機器台座２０が引き出された状態においては、ドア５ａが所定角度以上に開くことがないように、筐体本体２の内壁に図示しないストッパを設け、ドア５ａが所定角度より閉じないようにドア５ａと機器台座２０との位置関係が設定されている。
更に、上側の機器台座２１を引き出した状態でドア５ａを開放しようとした場合には、図４に示すようにドア５ａは被係止部２１ａに対する切欠き部３１の横方向寸法のマージン分だけは開放可能となるが、被係止部２１ａが切欠き部３１の内側面３１ａに当接してそれ以上の開放を阻止するため、ドア５ａは下側の機器台座２０を引き出すことができる程度には開放しない。
従って本発明の複数機器の同時引出し防止機構によれば、ドアに設けた係止・解除部３０と、上側の機器台座２１の一部を構成する被係止部２１ａとの協働によって、ドア５ａが閉止している時にはプリンタ収容部５内のプリンタの引出しを禁止する。一方、ドア５ａを開放した状態では、プリンタの引出しを許容しながら、後処理装置収容部６内の機器台座２１の引出しを阻止するように作用する。更に、係止・解除部３０と被係止部２１ａとは、上側の機器台座２１が引き出された状態でドア５ａを開放しようとしてもドア５ａの開放を阻止するように互いに係合し合うので、上側の後処理装置１１を引き出した状態で、下側のプリンタを引き出すことは不可能となる。
【００１５】
このように本発明によれば、下側の機器収容部であるプリンタ収容部５を開閉するドア５ａに設けた係止・解除部３０と、直上に位置する機器収容部６内の機器台座２１に設けた被係止部２１ａとの協働によって、ドアを開放してプリンタ１０を引出し可能な状態となっている時には上側の機器台座２１の突出を阻止し、ドアを閉じた状態で上側の機器台座を引き出した時にはドアの開放が阻止されるので、上下位置関係に配置された両機器１０、１１が同時に一方向へ引き出されることを防止できる。このため、上下位置関係で配置された２つの機器１０、１１が同時に引き出されることが防止され、前方へ重心が過剰に移動することによる筐体の転倒を防止することができる。
【００１６】
なお、本発明の複数機器の同時引出し防止機構、或いはこの防止機構を備えた筐体は、上記の如き証明書類自動発行装置以外であっても、複数の機器を上下位置関係で収容した筐体を備えたあらゆる装置に適用することができる。
【図面の簡単な説明】
【００１７】
【図１】（ａ）（ｂ）及び（ｃ）は本発明の一形態例に係る複数機器の同時引出し防止機構を備えた自動発行装置の外観図、前扉開放状態説明図、及びプリンタ収容部のドア開放状態を示す図である。
【図２】図１（ｃ）の拡大図である。
【図３】（ａ）及び（ｂ）は夫々ドアの閉止時、及び開放時の要部構成を示す図である。
【図４】上側の機器台座を引き出した状態を示す下方からの斜視図である。
【図５】（ａ）（ｂ）（ｃ）及び（ｄ）は従来の自動発行装置の外観図、前扉開放状態説明図、プリンタ収容部のドア開放状態を示す図、及び２つの機器を同時に引き出した状態を示す図である。
【符号の説明】
【００１８】
１…筐体、２…筐体本体、３…前扉、５…プリンタ収容部、５ａ…ドア、５ｂ…ヒンジ部、６…後処理装置収容部、７、８…スライドレール、１０…プリンタ、１１…後処理装置、１５…後処理装置、２０…機器台座、２１…機器台座、２１ａ…被係止部、３０…係止・解除部、３１…切欠き部、３１ａ…内側面。
【図１】
2008200369.tif 000003
【図２】
2008200369.tif 000004
【図３】
2008200369.tif 000005
【図４】
2008200369.tif 000006
【図５】
2008200369.tif 000007